【事件の表示】
　特許第２９３８８４９号「田植機の苗植付装置」の請求項１ないし２に係る特許に対する特許異議の申立てについて、次のとおり決定する。
【結　論】
　訂正を認める。
　特許第２９３８８４９号の請求項１ないし２に係る特許を取り消す。
【理　由】
一、手続の経緯
　特許第２９３８８４９号に係る発明についての出願は、平成４年１月２４日に出願された特願平４−１０６８５号の出願の一部を平成１０年３月２５日に分割して特願平１０−７７３１３号の特許出願としたものであり、平成１１年６月１１日にその発明についての特許の設定登録がなされ、その後、その特許について、特許異議申立人三菱農機株式会社（以下、「申立人」という。）より特許異議の申立てがなされ、平成１２年６月１９日付けで取消理由通知がなされ、その指定期間内である平成１２年８月２９日に訂正請求がなされたものである。
　
二、訂正の適否についての判断
（１）訂正の内容　
　特許権者の求めている訂正の内容は、次のとおりである。
［訂正事項ａ］
　特許明細書の特許請求の範囲【請求項１】の
「【請求項１】左右方向に沿って横長の横フレーム（５）を配置して、苗を田面に植え付ける植付機構（８）を後部に備えた複数の植付ケース（６）を、互いに平行状に前記横フレーム（５）に、後向きに片持ち状に連設させるべく構成すると共に、苗のせ台（７）を左右方向に往復横送り駆動する横送り軸（１８）において、前記横送り軸（１８）の一端を支持して前記横送り軸（１８）を回転駆動する駆動部（４）を、前記横フレーム（５）に固定し、前記横送り軸（１８）の他端を回転自在に支持する支持部材（１９）を、前記横フレーム（５）に固定して、前記横送り軸（１８）を回転駆動することにより、前記苗のせ台（７）を左右方向に沿って往復横送り駆動するように構成してある田植機の苗植付装置。」の記載を、
「【請求項１】左右方向に沿って横長の一体物で形成された横フレーム（５）を配置して、苗を田面に植え付ける植付機構（８）を後部に備えた複数の植付ケース（６）を、互いに平行状に前記横フレーム（５）に、後向きに片持ち状に連設させるべく構成すると共に、苗のせ台（７）を左右方向に往復横送り駆動する横送り軸（１８）において、前記横送り軸（１８）の一端を支持して前記横送り軸（１８）を回転駆動する駆動部（４）を、前記横フレーム（５）に固定し、前記横送り軸（１８）の他端を回転自在に支持する支持部材（１９）を、前記横フレーム（５）に固定して、前記横送り軸（１８）を回転駆動することにより、前記苗のせ台（７）を左右方向に沿って往復横送り駆動するように構成してある田植機の苗植付装置。」と訂正する。
　
［訂正事項ｂ］
　特許明細書の
「【０００６】【課題を解決するための手段】本発明の特徴は、田植機の苗植付装置において、次のように構成することにある。
［１］左右方向に沿って横長の横フレームを配置して、苗を田面に植え付ける植付機構を後部に備えた複数の植付ケースを、互いに平行状に横フレームに、後向きに片持ち状に連設させるべく構成すると共に、苗のせ台を左右方向に往復横送り駆動する横送り軸において、横送り軸の一端を支持して横送り軸を回転駆動する駆動部を横フレームに固定し、横送り軸の他端を回転自在に支持する支持部材を横フレームに固定して、横送り軸を回転駆動することにより、苗のせ台を左右方向に沿って往復横送り駆動するように構成してある。」の記載を、
「【０００６】【課題を解決するための手段】本発明の特徴は、田植機の苗植付装置において、次のように構成することにある。
［１］左右方向に沿って横長の一体物で形成された横フレームを配置して、苗を田面に植え付ける植付機構を後部に備えた複数の植付ケースを、互いに平行状に横フレームに、後向きに片持ち状に連設させるべく構成すると共に、苗のせ台を左右方向に往復横送り駆動する横送り軸において、横送り軸の一端を支持して横送り軸を回転駆動する駆動部を横フレームに固定し、横送り軸の他端を回転自在に支持する支持部材を横フレームに固定して、横送り軸を回転駆動することにより、苗のせ台を左右方向に沿って往復横送り駆動するように構成してある。」と訂正する。
　
［訂正事項ｃ］
　特許明細書の
「【００１２】請求項１の特徴によると、横送り軸の両端を支持する駆動ケース及び支持部材が横フレームに固定されており、充分な強度を持つ支持フレームに、横送り軸の両端が安定して支持される状態となっている。これにより、駆動部によって横送り軸が回転駆動される際に、抵抗少なく円滑に回転駆動されるのであり、横送り軸により苗のせ台が円滑に左右方向に往復横送り駆動される。」の記載を、
「【００１２】請求項１の特徴によると、横送り軸の両端を支持する駆動ケース及び支持部材が一体物で形成された横フレームに固定されており、充分な強度を持つ支持フレームに、横送り軸の両端が安定して支持される状態となっている。これにより、駆動部によって横送り軸が回転駆動される際に、抵抗少なく円滑に回転駆動されるのであり、横送り軸により苗のせ台が円滑に左右方向に往復横送り駆動される。」と訂正する。
　
（２）訂正の目的の適否、新規事項の有無及び拡張・変更の存否
  上記訂正事項ａの訂正は、特許請求の範囲の請求項１に係る発明における特定事項「横長の横フレーム（５）」を「横長の一体物で形成された横フレーム（５）」のように減縮するものであるから、特許請求の範囲の減縮を目的とするものに該当し、また、上記訂正事項ｂ及び訂正事項ｃの訂正は、上記訂正事項ａと整合を図るものであるから、明りょうでない記載の釈明を目的とするものに該当し、いずれも、願書に添付した明細書又は図面に記載した事項の範囲内のものであって、実質上特許請求の範囲を拡張、又は変更するものでもない。
　
（３）むすび
　以上のとおりであるから、上記訂正は、特許法等の一部を改正する法律（平成６年法律第１１６号）附則第６条第１項の規定によりなお従前の例によるとされる、特許法第１２０条の４第３項の規定において準用する平成６年改正法による改正前の特許法第１２６条第１項ただし書き及び第２項の訂正に関する規定に適合するので、当該訂正を認める。
　
三、特許異議の申立てについての判断
１．本件発明
　上記二、で示したように上記訂正が認められるから、本件の請求項１に係る発明（以下、これを「本件発明１」という。）及び請求項２に係る発明（以下、これを「本件発明２」という。）は、上記訂正に係る訂正明細書の特許請求の範囲の請求項１及び請求項２に記載された次の事項により特定されるとおりのものである（上記二、の欄の「（１）訂正の内容」の［訂正事項ａ］を参照）。
「【請求項１】左右方向に沿って横長の一体物で形成された横フレーム（５）を配置して、苗を田面に植え付ける植付機構（８）を後部に備えた複数の植付ケース（６）を、互いに平行状に前記横フレーム（５）に、後向きに片持ち状に連設させるべく構成すると共に、苗のせ台（７）を左右方向に往復横送り駆動する横送り軸（１８）において、前記横送り軸（１８）の一端を支持して前記横送り軸（１８）を回転駆動する駆動部（４）を、前記横フレーム（５）に固定し、前記横送り軸（１８）の他端を回転自在に支持する支持部材（１９）を、前記横フレーム（５）に固定して、前記横送り軸（１８）を回転駆動することにより、前記苗のせ台（７）を左右方向に沿って往復横送り駆動するように構成してある田植機の苗植付装置。」
「【請求項２】植付ケース（６）を横フレーム（５）に対して直接に取り付けて支持させてある請求項１記載の田植機の苗植付装置。」
　
２．引用刊行物に記載された発明
  当審が平成１２年６月１９日付けで通知した取消理由において引用した刊行物１及び刊行物２には、それぞれ次のとおりの発明が記載されている。
［刊行物１］：実願昭６２−３４３３７号（実開昭６３−１４１３４８号）の願書に添付した明細書及び図面の内容を撮影したマイクロフィルム
　上記刊行物１には、乗用型田植機の苗植装置に関して、
　「前記動力伝達部ケース１０の後端から突出するＰＴＯ軸から伸縮自在軸３５を介して伝動ケース１６の入力軸３６から傘歯車３７，３８を経て、軸３９のチェンスプロケット４０及びチェンを介して中央植付伝動ケース１７内の伝動機構４１に、また連結パイプ１８内の伝動軸４２を介して左右両側の植付伝動ケース１９，１９内の伝動機構４１，４１に各々動力伝達し、各植付伝動ケース１７，１９の左右両側に装着されたロータリ式の植付機構２３を回転駆動する。前記連結パイプ１８と平行状に配設され、且つ伝動ケース１６外に配設される横送軸４３は、伝動ケース１６内のキー体摺動式の変速装置４４により回転するように一端を伝動ケース１６内で軸支され、横送軸４３の他端は連結パイプ１８の他端又は植付伝動ケース１９の基部から突出する板状支持アーム４５に軸支されており、横送軸４３に形成した往復ねじ溝４６に係合する船型キー４７を備えた滑り子４８に、苗載台２２の裏面下端の下部レール３０に固着した三角形状のブラケット５０をねじ５１等を介して着脱自在に連結し、前記ロータリ式の植付機構２３の回転に同期させて苗載台２２を左右往復横送りするものである。」（明細書１０頁３行〜１１頁５行）が記載されている。
　また、刊行物１の第２図、第５図及び第６図には、それらの記載からみて、
　「横送軸４３の一端を支持して前記横送軸４３を回転駆動する伝動ケース１６と、前記横送軸４３の他端を回転自在に支持する板状支持アーム４５を、中央植付伝動ケース１７及び左右の植付伝動ケース１９，１９が一体的に固定される左右の連結パイプ１８，１８に固定して、前記左右の連結パイプ１８，１８の左右中央に対して前記横送軸４３の左右中央が左右一方（機体進行方向左側）に偏位するように、前記横送軸４３を配置した乗用型田植機の苗植装置」が記載されている。
［刊行物２］：実公昭５５−４７２８６号公報
　上記刊行物２には、多条植え型式田植機の植付け部伝動構造に関して、次の事項が記載されている。
　「本考案は多条植え型式の田植機における各植付ミッションを中間伝動ケースと各植付け装置の苗載せ台横送り用伝動ケースとに分割し、かつ、前記中間伝動ケースを植付け装置の並設方向に沿って同一断面形状の長尺筒状ケースで構成すると共に、その一側面には、本機側から動力を受けて駆動回転する駆動軸挿設用の孔を穿設する一方、他側面には、前記各植付けミッション側に動力を取り出す伝動軸挿設用の孔を複数個穿設し、また、上記孔の周り及び苗載せ台横送り用伝動ケースを設置する面には、ボルトにより各ケースを連続するための小孔を穿設して構成してあることを特徴とするものであるから、中間伝動ケースと苗載せ台横送り用伝動ケースとを分割して個別生産品とし、しかも、前記中間伝動ケースを同一断面形状の長い筒状ケースとすることにより、この厚い筒状ケースを押出し成形などにて安価に製作することができるばかりでなく、長い筒状ケースを植付け条数に見合う長さで切断することにより、種々の植付け条数の田植機に転用することができるので、植付け条数の異なる田植機における中間伝動ケースを製作面において規格化できる。それ故に、種々の植付け条数の田植機を製作する場合の著しいコストダウンを図り得る。しかも、本案の中間伝動ケースは、一条単位で製作した筒状ケース部分を値付け条数に見合った数だけ連結して中間伝動ケースを構成するものではなく、長い筒状ケースを値付け条数に見合う長さで切断して中間伝動ケースを構成するものであるが故に、この中間伝動ケースとして要求される機械的強度を十分に確保することができるのである。」（１頁右欄１７行〜２頁左欄１１行）
　「第２図，第３図に示すように、前記各植付けミッション１・・・をボルトを介して連結可能で、かつ、本機側から動力を受けて駆動回転する駆動軸１５の一端部に装着したべベルギヤ１６及び植付けミッション１側に動力を伝達するべベルギヤ５・・・とに咬合可能なべベルギヤ１７・・・を有する中間伝動用回転軸１８を架設してある中間伝動ケース２と、前記苗載せ台７を左右横方向に往復移動させる横送り軸１９を架設してある苗載せ台横送り用伝動ケース４とを分割構成するとともに、前記中間伝動ケース２は、アルミ等の押出成形にて製作された植付け装置３・・・の並設方向に沿って同一断面形状の長い筒状ケースを八条植えに見合う長さで切断して構成し、かつ、この中間伝動ケース２の一側面には前記駆動軸１５挿設用の孔２０を穿設する一方、他側面には、前記各植付けミッション１・・・側に動力を取り出す伝動軸２１・・・挿設用の孔２２・・・を穿設し、上記孔２０，２２・・・の周り及び苗載せ台横送り用伝動ケース４を設置する面には、ボルトにより各ケースを連設するための小孔２９・・・を適宜穿設している。又、前記横送り用の伝動ケース４には、前記駆動軸１５からの動力を補助伝動ケース２３に内装したスプロケット２４及びチェーン２５を介して受けて回転する螺旋軸２６を架設し、この螺旋軸２６と横送り軸１９との間に、前記螺旋軸２６の螺旋溝に係合するコマ２７とこれを支持するコマ受け２８を設け、以って、螺旋軸２６の回転に伴って横送り軸１９が軸芯方向に往復移動することにより、前記苗載せ台７を左右横方向に往復移動させるべく構成している。」（２頁左欄第２９行〜２頁右欄２４行）
　
３．対比・判断
（１）本件発明２について
　本件発明２と刊行物１に記載の発明とを対比すると、刊行物１に記載の発明の「連結パイプ１８」「植付機構２３」「植付伝動ケース１７、１９、１９」「苗載台２２」「横送軸４３」「横送軸４３の一端を支持して前記横送軸４３を回転駆動する伝動ケース１６」「横送軸４３の他端を回転自在に支持する板状支持アーム４５」のそれぞれが、本件発明２の「左右方向に沿って横長の横フレーム（５）」「植付機構（８）」「複数の植付ケース（６）」「苗のせ台（７）」「横送り軸（１８）」「横送り軸（１８）の一端を支持して前記横送り軸（１８）を回転駆動する駆動部（４）」「横送り軸（１８）の他端を回転自在に支持する支持部材（１９）」に相当するから、両者は、「苗のせ台（７）を左右方向に往復横送り駆動する横送り軸（１８）において、前記横送り軸（１８）の一端を支持して前記横送り軸（１８）を回転駆動する駆動部（４）を、前記横フレーム（５）に固定し、前記横送り軸（１８）の他端を回転自在に支持する支持部材（１９）を、前記横フレーム（５）に固定して、前記横送り軸（１８）を回転駆動することにより、前記苗のせ台（７）を左右方向に沿って往復横送り駆動するように構成してある田植機の苗植付装置」の点で一致し、次の点で発明の構成が相違する。
［相違点］：本件発明２が、「左右方向に沿って横長の一体物で形成された横フレーム（５）を配置して、苗を田面に植え付ける植付機構（８）を後部に備えた複数の植付ケース（６）を、互いに平行状に前記横フレーム（５）に、後向きに片持ち状に連設させるべく構成」し、かつ、「植付ケース（６）を横フレーム（５）に対して直接に取り付けて支持させてある」であるのに対して、刊行物１に記載の発明は、左右方向に沿う伝動軸４２を内蔵する複数の連結パイプ１８を左右方向に配置し、苗を田面に植え付ける植付機構２３を後部に備えた複数の植付伝動ケース１７、１９、１９を、互いに平行状に複数の前記連結パイプ１８間に後向きに連結してある点。
　つぎに、上記［相違点］について検討する。
　刊行物２には「左右方向に沿って横長の一体物で形成された中間伝動ケース２を配置して、苗を田面に植え付ける植付け装置３を後部に備えた複数の植付けミッション１を、互いに平行状に前記中間伝動ケース２に対して直接に取り付けて支持させ、後向きに片持ち状に連設させるべく構成する」技術が記載されている。
　そして、刊行物２に記載の発明の「左右方向に沿って横長の一体物で形成された中間伝動ケース２」「植付け装置３」「複数の植付けミッション１」が、本件発明２の「左右方向に沿って横長の一体物で形成された横フレーム（５）」「植付機構（８）」「複数の植付ケース（６）」にそれぞれ相当するから、本件発明２の上記相違点に係る構成は刊行物２に記載されていて、本件発明２の出願前に公知のものということができる。
　なお、刊行物２における上記［相違点］の構成の認定に関して、特許権者は平成１２年８月２９日付け提出の特許異議意見書の９頁４行〜５行において『「相違点イ」に関係した「横フレームを横長の一体物で形成した点」については、確かに刊行物２に記載されていることが認められます。』と言及し、特許権者が明確に首肯している事項であることを特に付記してここに確認しておく。
　而して、本件発明２と刊行物１及び刊行物２に記載の発明は、いずれも田植機の苗植付装置に関する発明であるから、刊行物１に記載の発明に対して、刊行物２に記載の前記「左右方向に沿って横長の一体物で形成された中間伝動ケース２を配置して、苗を田面に植え付ける植付け装置３を後部に備えた複数の植付けミッション１を、互いに平行状に前記中間伝動ケース２に対して直接に取り付けて支持させ、後向きに片持ち状に連設させるべく構成する」技術を適用し、本件発明２のような構成を得ることは、当業者が格別の困難性を要することなく容易に想到し得ることである。
　そして、本件発明２の奏する効果は、上記刊行物１及び刊行物２に記載の発明から予測できる効果の範囲内のものであって、格別のものではない。
　したがって、本件発明２は刊行物１及び刊行物２に記載された発明に基いて当業者が容易に発明をすることができたものである。
　
（２）特許権者の特許異議意見書における主張に対して
　特許権者は、平成１２年８月２９日付け提出の特許異議意見書の９頁９行〜９頁２１行において『すなわち、刊行物２に記載された発明は、一連の横長の横フレームを用いて、押し出し成形などによる製作コストの低減を図ろうとするものであり、その横フレームと苗のせ台横移動用の横送り軸との相互関係は全くない。そして、この刊行物２において、苗のせ台を横移動させるための螺旋軸２６は、伝動ケース４の内部に左右位置が固定された状態で設けられ、その螺旋軸２６と係合するコマ２７とコマ受け２８とを介して横送り軸１９が左右横移動するように設けられ、これが苗のせ台と直結されていると思われる。つまり、この刊行物２では、伝動ケース４から突出する部材（横送り軸１９）は苗のせ台に連結されて、苗のせ台を横移動するように自らも横移動しているものであって、横フレームに固定の部材に連結されるとその機能を果たさなくなるものであるから、少なくとも本件特許発明のような「一体物で形成された横フレームに対して固定されている駆動部と支持部材とにわたる状態で横送り軸の各端部を支持させる点」に関する構成がないことは明白であります。』旨を主張している。
　ここで、特許権者の上記主張を検討する。
　刊行物２に記載の発明における「螺旋軸２６」は、苗載せ台横送り用伝動ケース４の内部に左右位置が移動せずに回転自在に軸支された状態で設けられ、その螺旋軸２６の螺旋溝に係合するコマ２７とこれを支持するコマ受け２８とを介して横送り軸１９が左右横移動するように設けられるものであり、これは、特許権者の主張のとおりである。
　しかしながら、上記したように、該「螺旋軸２６」が、苗載せ台７を横移動させるための横送り軸１９を左右横移動させるために苗載せ台横送り用伝動ケース４の内部に左右位置が移動せずに回転自在に軸支された状態で回転駆動されるものであることを考慮に入れて、本件発明２と刊行物２に記載の発明とを対比すれば、刊行物２に記載の発明の「螺旋軸２６」が本件発明２における「横送り軸（１８）」に相当するものであることは明らかであるから、刊行物２に記載の発明の「横送り軸１９」が本件発明２における「横送り軸（１８）」に相当するとの特許権者の見解は、対応関係を見誤った誤解に基づくものである。
　そうしてみると、本件発明２における「横送り軸（１８）」に相当する刊行物２の上記「螺旋軸２６」が、苗載せ台横送り用伝動ケース４の内部に左右位置が移動せずに回転自在に軸支された状態で設けられていることが明らかであり、そして、該螺旋軸２６の左右位置を回転自在に軸支する苗載せ台横送り用伝動ケース４が左右方向に沿って横長の一体物で形成された中間伝動ケース２に一体的に固定されているから、特許権者の「刊行物２に記載された発明は、一連の横長の横フレームを用いて、押し出し成形などによる製作コストの低減を図ろうとするものであり、その横フレームと苗のせ台横移動用の横送り軸との相互関係は全くない。」及び「この刊行物２では、伝動ケース４から突出する部材（横送り軸１９）は苗のせ台に連結されて、苗のせ台を横移動するように自らも横移動しているものであって、横フレームに固定の部材に連結されるとその機能を果たさなくなるものである」という主張は、上記したような誤解に基づく見解を前提にして展開しているものであるから、当を得ないものである。
　したがって、特許権者の「刊行物１と刊行物２とを、互いに組み合わせて考えること自体が困難であり」という主張には根拠がない。
　
（３）本件発明１について
　本件発明１は、本件発明２の構成のうちの「植付ケース（６）を横フレーム（５）に対して直接に取り付けて支持させてある」の限定がなされていない点でのみ相違するだけであり、該本件発明２については、既に上記「（１）本件発明２について」の項において検討したとおりであるから、本件発明１についても、本件発明２と同じく、本件発明１は刊行物１及び刊行物２に記載された発明に基いて当業者が容易に発明をすることができたものである、ということができる。
　
４．むすび
　以上のとおりであるから、本件発明１及び本件発明２は、特許法第２９条第２項の規定により特許を受けることができない。
　したがって、本件発明１及び本件発明２についての特許は、拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１２年９月２６日（２０００．９．２６）
【訂正の要旨】
訂正の要旨
［訂正事項ａ］
　特許明細書の特許請求の範囲【請求項１】の
「【請求項１】左右方向に沿って横長の横フレーム（５）を配置して、苗を田面に植え付ける植付機構（８）を後部に備えた複数の植付ケース（６）を、互いに平行状に前記横フレーム（５）に、後向きに片持ち状に連設させるべく構成すると共に、苗のせ台（７）を左右方向に往復横送り駆動する横送り軸（１８）において、前記横送り軸（１８）の一端を支持して前記横送り軸（１８）を回転駆動する駆動部（４）を、前記横フレーム（５）に固定し、前記横送り軸（１８）の他端を回転自在に支持する支持部材（１９）を、前記横フレーム（５）に固定して、前記横送り軸（１８）を回転駆動することにより、前記苗のせ台（７）を左右方向に沿って往復横送り駆動するように構成してある田植機の苗植付装置。」の記載を、
特許請求の範囲の減縮を目的として、
「【請求項１】左右方向に沿って横長の一体物で形成された横フレーム（５）を配置して、苗を田面に植え付ける植付機構（８）を後部に備えた複数の植付ケース（６）を、互いに平行状に前記横フレーム（５）に、後向きに片持ち状に連設させるべく構成すると共に、苗のせ台（７）を左右方向に往復横送り駆動する横送り軸（１８）において、前記横送り軸（１８）の一端を支持して前記横送り軸（１８）を回転駆動する駆動部（４）を、前記横フレーム（５）に固定し、前記横送り軸（１８）の他端を回転自在に支持する支持部材（１９）を、前記横フレーム（５）に固定して、前記横送り軸（１８）を回転駆動することにより、前記苗のせ台（７）を左右方向に沿って往復横送り駆動するように構成してある田植機の苗植付装置。」と訂正する。
［訂正事項ｂ］
　特許明細書の
「【０００６】【課題を解決するための手段】本発明の特徴は、田植機の苗植付装置において、次のように構成することにある。
［１］左右方向に沿って横長の横フレームを配置して、苗を田面に植え付ける植付機構を後部に備えた複数の植付ケースを、互いに平行状に横フレームに、後向きに片持ち状に連設させるべく構成すると共に、苗のせ台を左右方向に往復横送り駆動する横送り軸において、横送り軸の一端を支持して横送り軸を回転駆動する駆動部を横フレームに固定し、横送り軸の他端を回転自在に支持する支持部材を横フレームに固定して、横送り軸を回転駆動することにより、苗のせ台を左右方向に沿って往復横送り駆動するように構成してある。」の記載を、
明りょうでない記載の釈明を目的として、
「【０００６】【課題を解決するための手段】本発明の特徴は、田植機の苗植付装置において、次のように構成することにある。
［１］左右方向に沿って横長の一体物で形成された横フレームを配置して、苗を田面に植え付ける植付機構を後部に備えた複数の植付ケースを、互いに平行状に横フレームに、後向きに片持ち状に連設させるべく構成すると共に、苗のせ台を左右方向に往復横送り駆動する横送り軸において、横送り軸の一端を支持して横送り軸を回転駆動する駆動部を横フレームに固定し、横送り軸の他端を回転自在に支持する支持部材を横フレームに固定して、横送り軸を回転駆動することにより、苗のせ台を左右方向に沿って往復横送り駆動するように構成してある。」と訂正する。
［訂正事項ｃ］
　特許明細書の
「【００１２】請求項１の特徴によると、横送り軸の両端を支持する駆動ケース及び支持部材が横フレームに固定されており、充分な強度を持つ支持フレームに、横送り軸の両端が安定して支持される状態となっている。これにより、駆動部によって横送り軸が回転駆動される際に、抵抗少なく円滑に回転駆動されるのであり、横送り軸により苗のせ台が円滑に左右方向に往復横送り駆動される。」の記載を、
明りょうでない記載の釈明を目的として、
「【００１２】請求項１の特徴によると、横送り軸の両端を支持する駆動ケース及び支持部材が一体物で形成された横フレームに固定されており、充分な強度を持つ支持フレームに、横送り軸の両端が安定して支持される状態となっている。これにより、駆動部によって横送り軸が回転駆動される際に、抵抗少なく円滑に回転駆動されるのであり、横送り軸により苗のせ台が円滑に左右方向に往復横送り駆動される。」と訂正する。
（５４）【発明の名称】
田植機の苗植付装置
（５７）【特許請求の範囲】
　　【請求項１】　左右方向に沿って横長の
一体物で形成された
　苗のせ台（７）を左右方向に往復横送り駆動する横送り軸（１８）において、前記横送り軸（１８）の一端を支持して前記横送り軸（１８）を回転駆動する駆動部（４）を、前記横フレーム（５）に固定し、前記横送り軸（１８）の他端を回転自在に支持する支持部材（１９）を、前記横フレーム（５）に固定して、
　前記横送り軸（１８）を回転駆動することにより、前記苗のせ台（７）を左右方向に沿って往復横送り駆動するように構成してある田植機の苗植付装置。
　　【請求項２】　植付ケース（６）を横フレーム（５）に対して直接に取り付けて支持させてある請求項１記載の田植機の苗植付装置。
【発明の詳細な説明】
　【０００１】
　　【産業上の利用分野】
　本発明は、田植機における苗植付装置の全体構成に関する。
　【０００２】
　　【従来の技術】
　田植機における苗植付装置の全体構成としては、例えば実開昭６２−９９９１４号公報に開示されているように、田面に苗を植え付ける植付爪（前記公報の第１図中の３）を、植付ケース（前記公報の第１図中の７ａ，７ｂ）の後部に備えて、田植機の植付条数に応じて複数の植付ケースを用意し、複数のパイプ部材（前記公報の第１図中の８ａ，８ｂ）により複数の植付ケースを連結して、苗植付装置の全体を構成したものがある。
　【０００３】
　　【発明が解決しようとする課題】
　近年では、一つの植付条に複数の植付爪（図４参照）を備えたロータリ型式の苗植付装置が多くなり、これに伴い苗植付装置の全体の重量が重くなってきている。従って、乗用型の田植機では走行機体のリンク機構に、苗植付装置の左右中央部が支持される構成なので、前述のように苗植付装置の全体の重量が重くなると、苗植付装置の全体を左右方向に曲げようとする曲げモーメントが大きくなってくる。
　【０００４】
　これに対し前述の実開昭６２−９９９１４号公報のように、複数のパイプ部材により複数の植付ケースの間をつないでいく構成であると、パイプ部材と植付ケースとの連結部が、左右方向に沿って多数並ぶ状態（前記公報の第１図参照）となって、苗植付装置の全体を左右方向に曲げようとする曲げモーメントが、パイプ部材と植付ケースとの連結部の各々に掛かる状態となるので、苗植付装置の全体の強度の確保と言う面で改善の余地がある。
　【０００５】
　又、パイプ部材と植付ケースとの連結部には、組立時に左右方向の連結誤差が発生し易いので、前述の実開昭６２−９９９１４号公報のように、複数のパイプ部材により複数の植付ケースの間をつないでいく構成であると、前述の連結誤差が左右方向に沿って集積されて、左右両側方の植付爪の位置に誤差の発生することがある。
　本発明は田植機の苗植付装置において、苗植付装置の全体の強度を充分に確保し、且つ、左右両側方の植付爪の位置の誤差の発生を抑えることを目的としており、さらに苗のせ台を左右方向に往復横送り駆動する横送り軸を、適切に支持することができるように構成することを目的としている。
　【０００６】
　　【課題を解決するための手段】
　本発明の特徴は、田植機の苗植付装置において、次のように構成することにある。
［１］　左右方向に沿って横長の
一体物で形成された
　苗のせ台を左右方向に往復横送り駆動する横送り軸において、横送り軸の一端を支持して横送り軸を回転駆動する駆動部を横フレームに固定し、横送り軸の他端を回転自在に支持する支持部材を横フレームに固定して、
　横送り軸を回転駆動することにより、苗のせ台を左右方向に沿って往復横送り駆動するように構成してある。
　【０００７】
［２］　前項［１］の構成において、植付ケースを横フレームに対して直接に取り付けて支持させてある。
　【０００８】
　　【作用】
［Ｉ］　請求項１の特徴によると、左右方向に沿って横長の横フレームが配置され、苗を田面に植え付ける植付機構を後部に備えた複数の植付ケースが、互いに平行な状態で、横フレームに後向きに片持ち状に連設されるので、苗植付装置の全体を左右方向に曲げようとする曲げモーメントが横フレームに掛かる状態となる。
　【０００９】
　この場合に、「従来の技術」に記載の実開昭６２−９９９１４号公報の構成のような、パイプ部材と植付ケースとの連結部が左右方向に沿って多数並ぶと言う状態は、請求項１の特徴による横フレームには生じないので、苗植付装置の全体を左右方向に曲げようとする曲げモーメントが、横フレームに掛かる状態となっても、横フレームは充分に耐えることができる。
　【００１０】
　さらに、請求項１の特徴による横フレームにおいて、パイプ部材と植付ケースとの連結部が左右方向に沿って多数並ぶと言う状態が生じなければ、パイプ部材と植付ケースとの連結部に発生する左右方向の連結誤差が、左右方向に沿って集積されると言う状態は、横フレームには生じないので、前述の連結誤差の集積によって、左右両側方の植付機構の位置に誤差が発生すると言うような状態は生じない。
　【００１１】
［ＩＩ］　苗植付装置においては、苗のせ台が左右方向に往復横移動自在に支持されて、
苗のせ台を左右方向に往復横送り駆動する横送り軸が備えられており、苗のせ台が左右方向に往復横送り駆動されながら、植付機構が苗のせ台から苗を取り出して田面に植え付けるように構成されている。
　【００１２】
　請求項１の特徴によると、横送り軸の両端を支持する駆動ケース及び支持部材が
一体物で形成された
　【００１３】
［ＩＩＩ］　請求項２の特徴によると、請求項１の場合と同様に前項［１］［ＩＩ］に記載の「作用」を備えており、これに加えて以下のような「作用」を備えている。
　請求項２の特徴によると、植付ケースが横フレームに対して直接に取り付けられて支持されるので、植付ケースの横フレームヘの取付構造を簡素に構成することが可能になる。
　【００１４】
　　【発明の効果】
　請求項１の特徴によると、田植機の苗植付装置において横フレームに植付ケースを後向きに片持ち状に連設させることにより、苗植付装置の全体を左右方向に曲げようとする曲げモーメントに対し充分に耐えることができるようになって、苗植付装置の全体の強度を向上させることができた。
　請求項１の特徴によると、左右方向の連結誤差が左右方向に沿って集積されると言う状態を避けることができ、左右両側方の植付機構の位置を精度良く設定することができるようになった。
　【００１５】
　請求項１の特徴によると、充分な強度を持つ支持フレームに横送り軸の両端が安定して支持されて、横送り軸が抵抗少なく円滑に回転駆動され、横送り軸により苗のせ台が円滑に左右方向に往復横送り駆動されるようになるので、植付機構が苗のせ台から苗を円滑に取り出して田面に植え付けるようになって、苗植付装置の植付性能を向上させることができた。
　【００１６】
　請求項２の特徴によると、請求項１の場合と同様に前述の請求項１の「発明の効果」を備えており、この「発明の効果」に加えて以下のような「発明の効果」を備えている。
　請求項２の特徴のように、植付ケースを横フレームに対して直接に取り付けて支持させることにより、植付ケースの横フレームヘの取付構造を簡素に構成することが可能になるので、苗植付装置の全体構成の簡素化及び軽量化を図ることができた。
　【００１７】
　　【実施例】
　以下、実施例を図面に基いて説明する。
　図４に乗用型の田植機の後部が示されている。この田植機は、乗用型の走行機体の後部にリンク機構１を介して、昇降自在並びに前後軸芯周りでローリング自在に苗植付装置２を連結して構成されている。苗植付装置２は、リンク機構１の枢支ボス部材３に前後軸芯周りでローリング自在に連結される植付伝動ケース４（駆動部に相当）に、左右方向に略全幅に亘って配置されるもので角パイプ状のアルミニューム引き抜き材からなる横フレーム５が固定され、横フレーム５に適宜間隔を置いて複数の植付ケース６が、互いに平行な状態で後向きに片持ち状に取り付けられており、横フレーム５に対して左右方向に往復横移動自在に苗のせ台７が支持されている。
　【００１８】
　植付ケース６の後部の左右両側に植付機構８が備えられ、植付機構８の植付爪８ａにより、苗のせ台７の下端部から一株ずつ苗が取り出されて田面に植え付けられるように構成されている。図１及び図４に示すように、苗のせ台７の苗載置面７ａに、苗のせ台７の横移動のストロークエンドにおいて、苗を所定量ずつ植付機構８に向けて縦送りする突起付き無端回動ベルト式の縦送り装置９が備えられている。図４に示すように、植付ケース６の各々に形成されたボス部１０に亘って回動支軸１１が支持され、回動支軸１１から一体的に延出された３個の支持アーム１２の端部に接地フロート１３が枢支連結されている。
　【００１９】
　次に、苗植付装置２に対する伝動系について説明する。図２及び図４に示すように、走行機体から伝動軸１４及び植付伝動ケース４のべベルギヤ機構１５を介して、横向きの入力軸１６に動力が伝達され、入力軸１６からギヤ式変速機構１７を介して動力が、植付伝動ケース４に支持されて植付伝動ケース４から左側横外方に突出する螺軸１８（横送り軸に相当）に伝達される。図１及び図３に示すように、螺軸１８の外方端が、横フレーム５に固定されたブラケット１９（支持部材に相当）により支持されている。
　【００２０】
　図１及び図３に示すように、螺軸１８の外周面に螺旋溝２０が形成されて、螺旋溝２０に係合するコマ部材２１を内装した筒部材２２が、螺軸１８に外嵌されており、苗のせ台７の裏面に固定されたブラケット２３を介して連結された連結具２４が、筒部材２２に左右方向に一体で横移動するように差し込み連結され、ピン２５により抜け止めされている。これによって、螺軸１８の回転に伴い螺旋溝２０とコマ部材２１の係合作用により、苗のせ台７を所定ピッチで往復横送り駆動する横送り機構Ａが構成されている。
　【００２１】
　図２に示すように、入力軸１６からギヤ伝動機構２６を介して横向きの回転軸２７に、動力が伝達されるように構成されている。図１，２，３に示すように、回転軸２７は螺軸１８と同様に植付伝動ケース４に支持されて植付伝動ケース４から左側横外方に突出するように配置され、ブラケット２８により外方端が支持されている。回転軸２７に左右一対の回転カム２９が取り付けられており、苗のせ台７の横移動のストロークエンドにおいて、図４に示すように回転カム２９が縦送り装置９に連係された接当アーム３０を揺動させ、突起付きの無端回動ベルトを所定量ずつ回動させて、苗を所定量ずつ縦送りするように構成されている。
接当アーム３０は所定待機位置に復帰するようにバネで付勢されている。
　【００２２】
　図２に示すように、回転軸２７から伝動チェーン３１を介して中継の横軸３２に動力が伝達されるように構成されており、図１，２，４に示すように植付伝動ケース４の外方側において、横軸３２から植付ケース６の入力軸３４に動力が伝達され、植付ケース６に備えられたチェーン伝動機構（図示せず）を介して、植付機構８に動力が伝達される。
　【００２３】
　図２，１，４に示すように、螺軸１８のギヤ変速機構１７の操作員３６が、植付伝動ケース４における螺軸１８とは反対側（右側横外方）に配置されている。図２に示すようにギヤ変速機構１７において、入力軸１６に外径の異なる複数の駆動ギヤ３７が遊転外嵌され、駆動ギヤ３７に咬み合う複数の従動ギヤ３８が螺軸１８に一体回転自在に外嵌されており、軸芯方向にシフト操作自在並びに駆動ギヤ３７に選択的に係合自在なシフトキー３９が、入力軸１６の内部に配置されている。
　【００２４】
　図２に示すように、操作具３６によりシフトキー３９をスライド操作し、変速比の異なる駆動ギヤ３７を選択的に入力軸１６と一体回転させることにより、変速操作するように構成されている。図４に示すように、植付伝動ケース４の操作具３６側に、回動支軸１１を回動操作して接地フロート１３の支点位置を変更することにより、植付爪８ａによる苗の植付け深さを変更する植付け深さ調節レバー４０が設けられている。
　【００２５】
　図１，３，４に示す回転カム２９を左右一対備える構成に代えて、回転カム２９を１個設け、苗のせ台７側の接当アーム３０を左右２個設けて、苗のせ台７の横移動のストロークエンドにおいて、一方の接当アーム３０が回転カム２９により回動させられるように構成するものでもよい。
　【００２６】
　尚、特許請求の範囲の項に図面との対照を容易にするために符号を記すが、該記入により本発明は添付図面の構成に限定されるものではない。
【図面の簡単な説明】
　　【図１】　苗植付装置の切欠背面図
　　【図２】　植付伝動ケースの縦断背面図
　　【図３】　横送り機構を示す平面図
　　【図４】　苗植付装置の全体側面図
　　【符号の説明】
　　４　　　　駆動部
　　５　　　　横フレーム
　　６　　　　植付ケース
　　７　　　　苗のせ台
　　８　　　　植付機構
　　１８　　　横送り軸
　　１９　　　支持部材